(57)【要約】　　　（修正有）【課題】より皮膚に近い感触で膨脹収縮が行われる治療シートを提供する。【解決手段】シート状部の一方の面が陰茎部に粘着し、該シート状部の他方の面が包皮部に粘着することで、陰茎部に包皮部を積極的に位置決めさせて、包皮部を安定的に陰茎部側に粘着し位置決めさせる包茎治療シートにおいて、該シート部が包皮と同一か若しくは包皮よりも柔らかくなる予定の硬度に設定したシリコーンジェルシートとした。【選択図】　図１
2004041357.tif 000002
【特許請求の範囲】
【請求項１】
シート状部の一方の面が陰茎部に粘着し、該シート状部の他方の面が包皮部に粘着することで、陰茎部に包皮部を積極的に位置決めさせて、包皮部を安定的に陰茎部側に粘着し位置決めさせる包茎治療シートにおいて、
該シート部が包皮と同一か若しくは包皮よりも柔らかくなる予定の硬度に設定した、
ことを特徴とする包茎治療シート。
【請求項２】
該シート状部の主成分が、水分が吸収可能な単一の素材からなるシリコーンであり、陰茎部から発生した水分が該シート状部の一方の面で吸収され、該吸収された水分の少なくとも一部が該シート状部の他方の面から外気へ放出するように、該シート部が水浸透性を有し、
陰茎部から発生した水分によって該シート状部の一方の面の皮膚に対する粘着部において水分の層が形成されることを、該水分吸収性により抑止できるように該シート部の水浸透性の浸透量を設定した、請求項１に記載の包茎用治療具。
【請求項３】
該シートの構造を、硬度低下、水浸透性向上、および復元性低下をもたらすような多孔質構造とした、請求項１に記載の包茎用治療具。
【請求項４】
該硬度が、１１０｛針入度・１／１０ｍｍ、ＪＩＳ測定方法による（ＪＩＳ　Ｋ　２２０７）｝よりも大きい値となるように設定した、請求項１に記載の包茎用治療具。
【発明の詳細な説明】
【０００１】
【発明の属する技術分野】
本発明は、仮性包茎を治療するための包茎治療シートに関する。
【０００２】
【従来の技術】
周知の通り仮性包茎は、男性器の成長を阻害するばかりでなく、恥垢は女性器の癌の原因とも言われ、またその悪臭や汚れは男性のコンプレックスとなり健全な性意識を阻害するものである。一方、仮性包茎の治療は、亀頭周辺の包皮を、亀頭側から積極的に後退させるとともに、積極的に後退状態を維持するようにするものである。その手段として、本発明と関連の大きな従来技術としては、包皮を陰茎側に糊によって粘着する従来技術と、粘着テープで粘着する従来技術がある。
【０００３】
前者の糊式の治療では、亀頭部の余剰の包皮に糊を塗りこれに余った包皮を重ねて貼ることで、亀頭部に余った包皮が戻ることを防ぐものである。
この糊式治療の利点としては、表面から糊が見えないので、治療していることや包茎であることが目立たない。亀頭および陰茎のサイズがその内側を流れる血液の血圧の増加によって、その体積ならびに長さが膨脹する方向に変形（以下、膨脹変形という）したり、主に外気の気温低下が原因して、体積ならびに長さが収縮する（以下、収縮変形）が生じたりする時においても、この糊は基本的に追従する。
しかし、手や衣服に糊が付着し汚れ易く、また糊をきれいに塗るのが困難、あるいは時間がかかり、確実に塗れない場合には周囲を汚す、水や汗で、その粘着度が代り、特に粘着力が低下する場合には、治療としての効果を失う。
前者の水や汗で生じる、粘着力低下を防止するために考えられた後者の粘着式治療は、生ゴムなどの水を吸収しない弾性素材をベースにして、その両面に粘着層を設け、それを包皮と陰茎との間に挟むことで、包皮と陰茎とを粘着させるものである。このように、吸水を避ける方向で造られた素材は、一時的に、水に耐えることができる。
【発明が解決すべき課題】
【０００４】
しかし、粘着層の下の皮膚表面から発生する汗や水分は、外から到来する水分とは異なり、粘着層と皮膚とので発生し、かつ粘着層と皮膚との間で溜まり、それに起因して剥がれる方向に作用する。最終的には粘着力が低下して、包皮が陰茎側に位置決めして矯正する治療の効果を失う。
さらに、包茎の治療を必要とする人は、正常な人の場合よりも包皮が陰茎を圧迫する傾向があり、さらに、包茎の治療時において、包皮を陰茎側に落ちつかせるために、包皮が収縮する方向に力を加える傾向があった。その結果として、特に膨脹変形をした時に、包皮が陰茎をより強く圧迫する傾向にあり、包茎の治療に際して、苦痛をともなう傾向になっていた。さらに、そのような苦痛をともなう治療を続けると男性器の成長を阻害する方向に働く危惧があった。また、上述の膨脹変形と収縮変形に対して、違和感が感じるのは、包皮よりも固い条件の弾性部材をベースに造られているために生じ、しかも、その弾性部材は、より違和感の少ない素材を選ぶことが、利用者に取って好ましい。すなわち、より皮膚に近い感触で膨脹収縮が行われることが望まれる。
【０００５】
【課題を解決するための手段】
上記の課題を解決するために、請求項１で定義される本発明は、シート状部の一方の面が陰茎部に粘着し、該シート状部の他方の面が包皮部に粘着することで、陰茎部に包皮部を積極的に位置決めさせて、包皮部を安定的に陰茎部側に粘着し位置決めさせる包茎治療シートにおいて、該シート部が包皮と同一か若しくは包皮よりも柔らかくなる予定の硬度に設定した、ことを特徴としている。
【０００６】
別の特徴からなる本発明では、請求項１の特徴に加えて、　該シート状部の主成分が、水分が吸収可能な単一の素材からなるシリコーンであり、陰茎部から発生した水分が該シート状部の一方の面で吸収され、該吸収された水分の少なくとも一部が該シート状部の他方の面から外気へ放出するように、該シート部が水浸透性を有し、陰茎部から発生した水分によって該シート状部の一方の面の皮膚に対する粘着部において水分の層が形成されることを、該水分吸収性により抑止できるように該シート部の水浸透性の浸透量を設定したことを特徴としている。
【０００７】
別の特徴からなる本発明では、請求項１の特徴に加えて、該シートの構造を、硬度低下、水浸透性向上、および復元性低下をもたらすような多孔質構造としたことを特徴としている。
【０００８】
別の特徴からなる本発明では、請求項１の特徴に加えて、該硬度が、１１０｛針入度・１／１０ｍｍ、ＪＩＳ測定方法による（ＪＩＳ　Ｋ　２２０７）｝よりも大きい値となるように設定した、ことを特徴としている。
【０００９】
【発明の実施の形態】
図１は本発明による包茎治療シート１を、プラスチック薄膜２の上に貼り付けた状態を示す斜視図である。プラスチック薄膜２は約１ｍｍ弱の厚みの透明シートで、該プラスチック薄膜２の上には包茎治療シート１が１６枚、約１ｍｍの隙間を開けて均等に配列し、かつシリコーンの粘着により貼り付けてある。また、所望に応じて、包茎治療シートの上側にも同じプラスチック薄膜２を乗せて、中心に包茎治療シート１が来るサンドウィッチ状に形成することもできる。また、上側に来るシートは、極薄いビニールシートとすることも可能である。
【００１０】
該包茎治療シート１は、厚みが１ｍｍ、幅が１０ｍｍ、長さが２０ｍｍの外形をなし、ほぼ透明である。素材は単一のシリコーンジェルで構成され、包皮と同一若しくはそれ以下の硬さとし、なおかつ、プラスチック薄膜２から剥離させて、包皮もしくは陰茎部へ運ぶ作業中に形が崩れない硬さ、すなわち、３０，０００ｃｓ〜７０，０００ｃｓの粘度となるように構成させている（体温における測定値）。また、このシリコーンジェル（ゲル）の引張り弾性率は０．００１〜０．０１Ｋｇｆ／ｍｍ２に設定されている。すなわち、普通シリコーンゴムの弾性率は０．０１〜０．１　Ｋｇｆ／ｍｍ２である。結果として、普通のシリコーンゴムと比較しても、一桁小さい弾性率となる。なお、引張り弾性率とは伸張による外力によって変形を受けた物体が、その外力を取り去った時、元の寸法に戻ろうとする性質であり、値が小さいほど小さな外力で変形し、戻るときに掛かる力も小さい事を意味する。また、天然ゴム、ブタジエンゴム、シリコーンゴムの弾性率は、天然ゴム≧ブタジエンゴム≧シリコーンゴムという関係が一般的であり、これらゴムとシリコーンゲルは、上述のとおり、弾性率が１桁違うために質的差異が生じる。従って、本発明で使用する、上記のシリコーンジェルは、天然ゴム、ブタジエンゴムおよびシリコーンゴムに比較して、後述するように、人の皮膚の弾性率に限りなく近い物性のものであり、後述するように官能試験も併せて評価すると、装着時違和感が最も無いことが理解できる。すなわち、包皮（陰茎）と同一かもしくはそれ以下の硬度とすることができたが、柔らかすぎると、取り扱いにおいて、困難となる。従って、肌への粘着度および追従性がよく、しかも取り扱いの良いシリコーンジェルシールの官能試験と材質形態・重合度を検討した。
【００１１】
まず、素材の検討を行った。
基材の両面に粘着層を持ったテープと単一なシリコーンジェルシールで両面の重合度（粘度）を変えることで粘着性を持たせたもの（シリコーンジェルはそのままで皮膚への粘着性がでるから、粘着層をわざわざ持たす必要がない）の肌への粘着度と取り扱い易さの比較を実施した。なお、粘着度の評価は５段階とした。さらに、肌への粘着度は、包皮と包皮を粘着させて剥がれないものを５と評価した。粘着性の悪いものを１と評価してその間の２〜４を均等に分割して段階的に表記した。取り扱い易さは、重合度が高い場合、粘着度が悪いが剥離紙からの剥がし易さを評価し、さらにシールの腰の強さによっても、取り扱いがよくなるので、これを５と評価した。
これに対して、剥がし難くかつ腰が弱くて扱い難いものを１と評価し、その間の２〜４を均等に分割して段階的に表記した（表１参照）。
表１
2004041357.tif 000003
【００１２】
評価理由：肌への粘着度は、粘度が低すぎると形状が安定せず却って包皮の重なりがずれる欠点があった。粘度を高くし過ぎると粘着性が落ちるため剥がれ易くなった。
取り扱い易さは、粘度が低いと柔ら過ぎて剥離紙から剥がれ難く、剥がす時ちぎれるか、変形するという傾向があった。粘度が高いと剥離紙から剥がし易くまた変形し難くなったので扱い易くなったが、同時に腰が強くなりすぎると弾性が強く却って使いにくくなることが分かった。
このことから続けての試験では下記構造の重合度の範囲の中で上記の内最適なもので試験を実施した。
【００１３】
本発明の目的に用いる最適なシリコーンジェルシールの化学構造と構造を以下に示す。
シリコーン素材の重合度を種々検討し、扱い易さと粘着効果を検討した結果以下の組成が皮膚の伸縮に同調性が高く粘着性も充分であることが知見された。
｛１｝　平均分子式Ｒ１ａＲ２ｂＳｉＯ（４−（ａ＋ｂ））／２
ここにＲ１は不飽和炭化水素基を含有する有機基、Ｒ２は不飽和炭化水素基を含まない１価の炭化水素基、ａは０．００１〜０．３、ｂは１．８〜２．５でａ＋ｂは１．８〜２．５で示される、分子鎖両末端がそれぞれ２個を含有するシリル基で封鎖されている、２５℃における粘度が５０〜１００，０００ｃｓであるオルガノポリシロキサン１００重量部
｛２｝　平均分子式Ｒ１ｃＲ２ｄＳｉＯ４−（ｃ＋ｄ）
ここにＲ１は不飽和炭化水素基を含有する有機基、Ｒ２は不飽和炭化水素基を含まない１価の炭化水素基、ｃは０．００１〜０．３、ｄは０．１〜０．９５で示される、分子鎖両末端がＲ１またはＲ２からなるシリル基で封鎖されているオルガノポリシロキサン１〜５０重量部
｛３｝　上記｛１｝、｛２｝成分中のＲ１で示される基１個に対しけい素原子に結合した水素原子（≡ＳｉＨ基）が０．４〜４．０の倍量となる量の平均分子式Ｒ１ｅＲ２ｆＳｉＯ４−（ｅ＋ｆ）
ここにＲ１は水素基、Ｒ２は不飽和炭化水素基を含まない１価の炭化水素基、ｅは０．００１〜０．３、ｄは０．１〜０．９でｅ＋ｆは０．１〜０．９で示される分子鎖末端がＲ１またはＲ２〜なるシリル基で封鎖されているオルガノハイドロジェンポリシロキサン
｛４｝　上記▲１▼成分１００重量部に対して白金換算で１〜１００ｐｐｍの白金系触媒を用いることでえられるシリコーンジェルシートあるいはシール
｛５｝　Ｒ１としてはＣＨ＝ＣＨ２−、ＣＨ＝ＣＨ−ＣＨ２−、ＣＨ＝ＣＨ−ＣＨ２Ｏ−などがある。
Ｒ２としてはＣＨ３−、ＣＨ２ＣＨ３−、Ｃ６Ｈ５−などがある。
【００１４】
対象としたゴムシートに両面にゴム糊を貼付したものを組み合わせた。アメゴムにクロロプレンゴム系ゴム糊を両面に塗布して直ちに使用した。
検体は試験Ａではそれぞれサイズを２０ｍｍ×１００ｍｍとし、厚みはこの場合１ｍｍとして作成した。試験Ｂでは、１０ｍｍ×１０ｍｍ、厚みは１ｍｍとした。
使用試験（以下は、上述の｛１｝、｛４｝および｛５｝で画定したシリコーンジェルシールを採用したものである。また、包皮と同一かもしくはそれ以下の硬度とする条件も踏襲している）。
【００１５】
試験方法、
被験者３名にそれぞれの試験シートを各３枚渡し使用感と安全性を検討した。それぞれについて５段階評価し、１〜２と４〜５段階評価の場合の理由を記載させた。
５段階評価とは、５：極めて優れている、４：優れている、３：普通、２：劣っている、１：かなり劣っている。以上のような基準とした。
【００１６】
試験結果Ａ
サイズ１０ｍｍ×１００ｍｍ×１ｍｍを帯状または筒状にして貼付した。
表２
2004041357.tif 000004
試験結果Ｂ
表３
2004041357.tif 000005
【００１７】
本発明の素材として挙げるシリコーンジェルシートについて、以下の試験を行った。
試験Ａ
使用感４〜５評価の理由：付けていて少し違和感があるが問題ない程度、膨張時にもこのシリコーンシールが男性器の伸縮に対し同調性が高いため特に問題はない、ただし長さが長いため膨張時には若干ひきつる感じが生ずる感じ、貼る時陰毛が絡むことがある。従ってこの目的のためには１００ｍｍほどの長さは不都合であると考える。
また、シリコーンシールの場合そのまま入浴など水中での粘着性や耐久性が高く、汗にも耐久性を示した。
安全性４〜５評価の理由：特に皮膚に刺激もなく安全と思えた。
試験Ｂ
使用感４〜５評価の理由：付けていて少し違和感がない、膨張時にもこのシリコーンシールが小さく皮膚と同じ伸縮性と極めて弱い復元力のため全くひきつれたりせず装着感がない。陰毛に絡むこともない。また透明なので付けていても外見上も違和感がない。
安全性４〜５評価の理由：特に皮膚に刺激もなく安全と思えた。
【００１８】
従来技術である、ゴムシートについて、以下の試験を行った。
試験Ａ
使用感１〜２の評価理由：ごわつく感じで付けていて違和感がある、膨張時皮膚との同調性がないためひきつる感じ、貼る時陰毛が絡む。ゴムなどの保形性を持った弾性材であると復元性が高いため男性器の柔軟性に同調できず違和感が生ずる事は避けられない。
安全性４〜５の評価理由：特に皮膚に刺激もなく安全と感じた。若干付け初めと剥がす時などひりつく感じ
安全性１〜２の評価理由：皮膚が赤くなり痒くなった、試料２，３では継続して貼付することができなかった。
試験Ｂ
使用感１〜２の評価理由：やはりごわつく感じで付けていて違和感がある、膨張時のひきつりは若干感じる程度だが、色が付いているので少しめくれて外から見える欠点がある。
ただ入浴時や汗に対し耐久性がなく直ぐ剥がれたり変形して脱落してしまった。安全性４〜５の評価理由：特に皮膚に刺激もなく安全と感じた。若干つけ初めと剥がす時などひりつく感じはする。
安全性１〜２の評価理由：皮膚が赤くなり痒くなった、試料１，２，３とも継続して貼付することができなかった。
【００１９】
次に、皮膚に対する表面的な影響について検証をした。
まず、シリコーンジェルシートは、単一のシリコーンからなるので、皮膚との接触も同一素材のシリコーンジェルシートである。一方、ゴムシートにおいては、ゴムシート自体が粘着性を持たないので、一般的に用いるクロロプレンゴム糊を塗布した状態で試験を行った。さらに、メタアクリル酸・アクリル酸Ｎ−ブチルコポリマー　（ＭＡ・ＡＡＮＢコポリマー）が塗布されて形成される医療用のハップ剤の粘着材を、一般的な例としてテストの中に入れている。これら皮膚刺激、（表面的に受ける刺激）に関して試験比較をした。
シリコーン、クロロプレンゴム系ゴム糊、さらに医療用のハップ剤の粘着材であるメタアクリル酸・アクリル酸Ｎ−ブチルコポリマー　（ＭＡ・ＡＡＮＢコポリマー）で皮膚への刺激試験を行なった
表４
2004041357.tif 000006
【００２０】
シリコーンジェルシールは殆ど皮膚刺激性がなかった。一方クロロプレンゴム系ゴム糊、メタアクリル酸・アクリル酸Ｎ−ブチルコポリマー（ＭＡ・ＡＡＮＢコポリマー）では粘着剤にかぶれ易い体質があり、問題が起きる可能性があった。
材質的にシリコーンジェルの方が欠点が少なかった（皮膚に対する表面的な影響は、良好であった）。従って、シリコーンジェルが、表面的な影響においても好ましいことを確認した。
【００２１】
つぎに、好ましい結果のでたシリコーンジェルの形状において、好ましい条件を試験的に探った。
まず、上記２０ｍｍ（幅）×１００ｍｍ（長さ）、厚み１ｍｍを基に以下に述べるサイズなどで比較検討した。なお、被験者は上記試験と同一である。
表５その１
2004041357.tif 000007
表５その２
2004041357.tif 000008
表５その３
2004041357.tif 000009
【００２２】
以上の試験結果から、次のことが知見された。
シリコーンジェルのシートの厚みが２ｍｍ以上あると折り返しても厚みがあるため外から目立つ、膨張時に引っ張られる感じがする、厚みがあると装着感があり違和感を感じる。また０．５ｍｍ以下とすると、装着時の違和感は少ないものの装着時にシリコーンシールの形が変形し易く扱い難いことが分かった。
幅が２０ｍｍ以上あると幅が広すぎて折り返してもめくれて目立つことがあることが確認できた。
長さが２０ｍｍ以上あると装着感が出てくるので違和感が強い、特に膨張時にはひきつれやこわばり感が強く出てくる。即ち帯状や筒状では陰茎の場合の特性として刺激により膨張や収縮を起こすため、包茎治療用具では実用的ではないことが確認できた。
１０ｍｍ（幅）×１０ｍｍ（長さ）のシールでも貼る枚数を多くすると余分な包皮がきちんと固定される感があるが、違和感が増した。また１枚でも固定でき、枚数が少ないほど簡便性や使用感が良好であった。ただし１枚の場合整然と貼付できない場合が生じた。
以上の試験から、サイズの適切なものは、幅１０ｍｍ×長さ１０〜２０ｍｍ×厚さ１ｍｍのシリコーンジェルによるシール素材であり、また、このような形状のものを陰茎の一方側に１枚貼り付け、その対向側である、他方側にさらにもう１枚、合計で２枚を貼付するのが簡便かつ実際上有用であることが分かった。
上記サイズ、すなわち、幅が狭く１０ｍｍで長さが１０〜２０ｍｍのシリコーンシールは、最適のサイズでしかも、厚さを１ｍｍ程度とすることで、透明性を持たせることができ、その透明性を有することで、装着時における外観上の違和感を減少でき、体感的にも好ましい結果が得られた。一方、シリコーンシールの粘着性が以上のサイズにおいて、最も扱い易くまた効果的であり、また医療用であるため皮膚への刺激が最も少なかった。また他の素材や製法に比較し形態と組成が単純で経済的であると考えられた。
【００２３】
有効な製品形態について、以下に記載する。
シリコーン製、両面の重合度を調節することで同一素材でありながら、芯は固く両面は粘着性を持たせたものが提案される。すなわち、シール形態として、厚さ１ｍｍ、サイズ１０ｍｍ（幅）×１０ｍｍ（長さ）のものの、両面に粘着性を持たせたものを複数枚（例えば２枚）を陰茎の一方側、と他方側に貼付することが好ましい結果が得られている。製品形態としては、下記のように６×１０＝６０枚（約４週間３０日分）を１箱に３枚（３か月分）又は６枚（６か月分）入りとして、毎日入浴時等に貼替えて使い捨てることが好ましい。
表６
2004041357.tif 000010
【００２４】
上記のように、シリコーンジェルの大きさについて、１０ｍｍ×１０〜２０ｍｍ×１ｍｍのシリコーンジェルのシールが包茎治療用具として適切であるとの結果をえた。
１０ｍｍ×２０ｍｍ×１ｍｍのシリコーンジェルのシールの製品形態の例を図１に示した。図中において、１はシリコーンジェル、２は剥離紙である。
【００２５】
シリコーンジェルシールの官能試験と材質形態・重合度の検討
１）包茎治療用具の素材の検討
以上の検証において、シール型の治療用具は、その柔らかさが陰茎の包茎の原因である余剰の皮膚と同じ（あるいはそれ以上に柔らかくした）事が、取り扱い易さ（接着時の違和感や装着の意識化など）に大きく影響され、包茎の治療を簡便かつ容易に実施する上で決定的要因であることが知見された。
従って、今回は特に皮膚の柔らかさを基準化して素材の官能テストを実施した。
なお、皮膚の柔らかさの基準は皮膚に粘着性テープを貼付しこれを一定の力で横方向に引くことで皮膚が伸びる長さを計測し、柔らかさを数値化した。
【００２６】
表７
2004041357.tif 000011
以上、人の陰茎を含む代表的な皮膚の硬度を実測した。この硬度は針入度ともいい、硬さを表す方法の１つだあり、試験方法はＪＩＳ　Ｋ２２０７に規格化されているものである。すなわち、規定重量の針を試料中に垂直に進入させ、進入した長さにより試料の硬さを表したものである。針入度の値は、１／１０ｍｍが進入度１に対応し、数字が大きいほど柔らかな材料を示す。
一方、以上に詳述したシリコーンジェルは、その素材ならびに形状によって、酸素透過度が高く、皮膚呼吸を阻害しないことが知見され、特に、ゴムと比較すると、ゴムは明らかに皮膚呼吸を阻害しますから、長期に貼ったときに、明らかな優位性をシリコーンジェル側の方が持つことが知見された。
具体的に測定すると、シリコーンジェルは、２５℃で３×１０−９ｃｃ・ｃｍ／ｃｍ２・ｓｅｃ・ｃｍＨｇ以上の酸素透過性を持ち、一方、ゴムは１×１０−７ｃｃ・ｃｍ／ｃｍ２・ｓｅｃ・ｃｍＨｇ位となっており、酸素呼吸を阻害することが実測として得られている。
【００２７】
各種素材における電気的特性を検証する。
測定雰囲気は、室温（２４．８℃）、湿度（１８％）である。試料は第１回目の検討で用いた素材であるシリコーンジェルシール、糊付き天然ゴム、バンドエイドの粘着テープ、糊付き紙テープ、ビニールテープを測定した。
通常、静電電位の測定距離は、通常１０ｃｍとされているが、各素材同士の比較を明確とするため、距離を１ｃｍとして測定した。
表８
2004041357.tif 000012
【００２８】
シリコーンジェルシールの特性を検証する。
静電電位はマイナスイオンを表わすといわれ、静電電位により傷あとやケロイドを修復する作用があり、それは傷あとなどの細胞膜を安定化することにより炎症反応を抑制して過剰な細胞増殖や色素沈着を押さえるためであるとの報告がある。従ってこの報告に従えば、シリコーンジェルシールは、医療用の高純度シリコーンを使用し、生体に対する安全性は証明されているばかりでなく、マイナスイオンの効果により血行促進や炎症防止の作用があった方が直接包茎治療効果に影響はないものの好ましいものと考えられる。
シリコーンジェル自身の特性として、酸素透過性があるが、さらに、以下のような各種素材を配合することで、より好ましい機能を付加し得る。
【００２９】
変形実施例その１、トルマリンの粒状体を配合することによりマイナスイオンが発生し易くなる（図２参照）なお、このトルマリンは炭素粉末と変更することも可能で、その作用は、同様にマイナスイオンが発生するものである（レベルは異なる）。
【００３０】
変形実施例その２、銀粉末・イオン（ヨウ化銀など）や抗菌剤を配合することにより、局所の衛生を保つ事が期待できる。
【００３１】
変形実施例その３、空気などを、気泡の形で、混合することにより復元性を弱めて、さらに装着感が増す、さらに、接触面積が増えるので、肌に対して、よりフィットし、粘着効果を高めることができる（図３参照）。
【００３２】
変形実施例その４、図１で説明した実施例と外形サイズは同じで、素材も同じものを使用しているが、さらに、本実施例においては、長手方向に対して横方向（やや斜めでも可能）にスリットを複数設けた。そして、このスリットは好ましくは一方側の側方において、薄い部分を形成するように作り、さらに好ましくは、この薄い部分が交互の側方に形成されるように形成している。また、この薄い部分は、通常の装着課程においては破断しない程度の厚みに設定され、さらに、陰茎の膨張にともなって緊張状態になる等の予定よりも大きな緊張力を受けたときに、この薄い部分で切れて長手方向に分離する（好ましくはジグザグ状に分離する）。また、この薄い部分が切断される前の状態においては、スリットの存在により長手方向へ延びやすく形状変形する。さらに、スリットが余分な汗や湿気を通過させたり、一時的にためる効果があるので、多湿傾向の人にも、シリコーンジェルシールの本来有する粘着力をより長く保つことができる（図４参照、なお同図における下方の斜視図は、形状を明瞭にするために、部分断面として作図し、断面部分には斜線をほどこした）。
【００３３】
【発明の効果】
以上のように、請求項１で定義される本発明は、シート状部の一方の面が陰茎部に粘着し、該シート状部の他方の面が包皮部に粘着することで、陰茎部に包皮部を積極的に位置決めさせて、包皮部を安定的に陰茎部側に粘着し位置決めさせる包茎治療シートにおいて、該シート部が包皮と同一か若しくは包皮よりも柔らかくなる予定の硬度に設定した、ことを特徴としている。
従って、体内でも特別に柔らかい箇所において、その包皮と同一かそれよりも柔らかい硬度としていることで、物理的につれにくく、従って使用感が良く。さらに、追従性もよい。それは、長期間安定して包皮と陰茎の間に位置し続けることを意味する。
【００３４】
また、別の特徴からなる本発明では、請求項１の特徴に加えて、該シート状部の主成分が、水分が吸収可能な単一の素材からなるシリコーンであり、陰茎部から発生した水分が該シート状部の一方の面で吸収され、該吸収された水分の少なくとも一部が該シート状部の他方の面から外気へ放出するように、該シート部が水浸透性を有し、陰茎部から発生した水分によって該シート状部の一方の面の皮膚に対する粘着部において水分の層が形成されることを、該水分吸収性により抑止できるように該シート部の水浸透性の浸透量を設定したことを特徴としている。
従って、シリコーン表面に触れる皮膚から発生する汗や水蒸気などが、皮膚とシリコーンの粘着面との間に発生してもその少なくとも一部が他方側へ浸透するため、粘着度の低下を防ぐことができ、皮膚が汗によって、荒れることも低減できる。
【００３５】
別の特徴からなる本発明では、請求項１の特徴に加えて、該シートの構造を、硬度低下、水浸透性向上、および復元性低下をもたらすような多孔質構造としたことを特徴としている。
従って、この多孔質の構造内に、皮膚から発生する汗や水蒸気などが吸収されるので、粘着面と皮膚との間に発生した水分を、積極的に吸収し、粘着度の低下を防ぐことができ、皮膚が汗によって、荒れることも低減できる。
【００３６】
別の特徴からなる本発明では、請求項１の特徴に加えて、該硬度が、１１０｛針入度・１／１０ｍｍ、ＪＩＳ測定方法による（ＪＩＳ　Ｋ　２２０７）｝よりも大きい値となるように設定した、ことを特徴としている。つまり、包皮部の硬さを定義することにより明瞭にした。
【図面の簡単な説明】
【図１】本発明の一実施形態である、１０ｍｍ×２０ｍｍ×１ｍｍのシリコーンジェルのシールの製品形態の例を示す説明用斜視図である。
【図２】本発明の変形実施例その１を示す部分断面斜視図である。
【図３】本発明の変形実施例その３を示す部分断面斜視図である。
【図４】本発明の変形実施例その４を示す部分断面斜視図である。
【符号の説明】１，４はシリコーンジェルシール、２は剥離紙。
【図１】
2004041357.tif 000013
【図２】
2004041357.tif 000014
【図３】
2004041357.tif 000015
【図４】
2004041357.tif 000016